(57)【特許請求の範囲】
【請求項１】
２つの仕切部材からなり、各仕切部材は、起立する複数の縦仕切板と、各縦仕切板に交差して起立する複数の横仕切板とを備え、
各仕切部材における縦仕切板は、横仕切板との交差部において横仕切板の側面との間に空隙を形成して上下方向の一端が当該縦仕切板の一方端縁側で開放され他端が閉塞される凹状の第１の切欠を備え、一方の仕切部材の該第１の切欠には、他方の仕切部材の横仕切板又は縦仕切板が受け入れ自在とされ、
各仕切部材における横仕切板は、縦仕切板との交差部において縦仕切板の側面との間に空隙を形成して上下方向の一端が当該横仕切板の一方端縁側で開放され他端が閉塞される凹状の第２の切欠を備え、一方の仕切部材の該第２の切欠には、他方の仕切部材の縦仕切板又は横仕切板が受け入れ自在とされていることを特徴とする仕切体。
【請求項２】
少なくとも一方の仕切部材は、前記第１の切欠の閉塞端と前記第２の切欠の閉塞端とが互いに上下方向に異なる位置に設られていることを特徴とする請求項１記載の仕切体。
【請求項３】
前記縦仕切板は、互いに隣り合う一対の前記横仕切板間の中央位置に、上下方向の一端が当該縦仕切板の一方端縁側で開放され他端が閉塞される凹状の第３の切欠を備え、
前記横仕切板は、互いに隣り合う一対の前記縦仕切板間の中央位置に、上下方向の一端が当該横仕切板の一方端縁側で開放され他端が閉塞される凹状の第４の切欠を備えることを特徴とする請求項１又は２記載の仕切体。
【発明の詳細な説明】
【技術分野】
【０００１】
本発明は、箱の内部を複数に区画する仕切体に関する。
【背景技術】
【０００２】
一般に、複数の物品を箱内に収納するとき、隣り合う物品同士が互いに干渉することのないように、箱内に設置して箱の内部空間を複数に区画する仕切体が用いられる。この種の仕切体は、起立する複数の縦仕切板と、起立する複数の横仕切板とが互いに交差して平面視矩形状の複数の仕切空間を形成している（例えば特許文献１参照）。
【先行技術文献】
【特許文献】
【０００３】
【特許文献１】特開２０１０−１３２２９９号公報
【発明の概要】
【発明が解決しようとする課題】
【０００４】
ところで、この種の仕切体は、箱の大きさや収納する物品の大きさ等に基づいて仕切体の高さ寸法や区画の数が決定されるが、その高さ寸法や区画の数を変更する場合には、高さ寸法や区画の数の異なる複数種の仕切体を予め用意し、選択して使用しなければならず、作業が煩わしいだけでなく不経済である。
【０００５】
本発明の上記の点に鑑みてなされたものであり、高さ寸法や区画の数を容易に変更することができる仕切体を提供することを目的とする。
【課題を解決するための手段】
【０００６】
本発明の仕切体は、２つの仕切部材からなり、各仕切部材は、起立する複数の縦仕切板と、各縦仕切板に交差して起立する複数の横仕切板とを備え、各仕切部材における縦仕切板は、横仕切板との交差部において横仕切板の側面との間に空隙を形成して上下方向の一端が当該縦仕切板の一方端縁側で開放され他端が閉塞される凹状の第１の切欠を備え、一方の仕切部材の該第１の切欠には、他方の仕切部材の横仕切板又は縦仕切板が受け入れ自在とされ、各仕切部材における横仕切板は、縦仕切板との交差部において縦仕切板の側面との間に空隙を形成して上下方向の一端が当該横仕切板の一方端縁側で開放され他端が閉塞される凹状の第２の切欠を備え、一方の仕切部材の該第２の切欠には、他方の仕切部材の縦仕切板又は横仕切板が受け入れ自在とされていることを特徴とする。
【０００７】
本発明によれば、上記構成の２つの仕切部材を互いに組み付けて仕切体が形成されるので、後述の実施形態において説明するように、両仕切部材の上下方向への組み付け方に応じて各仕切板の高さ方向の寸法を容易に変更することができ、また、両仕切部材の縦横方向への組み付け方に応じて仕切区画の行数又は列数を容易に変更することができる。これにより、縦横の各仕切板の高さや仕切区画の行数又は列数を変更するために仕切体を交換することが不要となる。
【０００８】
また、本発明の仕切体において、少なくとも一方の仕切部材は、前記第１の切欠の閉塞端と前記第２の切欠の閉塞端とが互いに上下方向に異なる位置に設られていることを特徴とする。
【０００９】
これによれば、例えば、一方の仕切部材の第１の切欠に、他方の仕切部材の縦仕切板又は横仕切板が受け入れられた状態から、一方の仕切部材の第２の切欠に、他方の仕切部材の縦仕切板又は横仕切板が受け入れられた状態に変更するだけで、各仕切板の高さ方向の寸法を容易に変更することができる。従って、高さ寸法の異なる板仕切体を複数用意することなく、複数の高さ寸法に選択的に変更することができる。
【００１０】
また、本発明の仕切体において、前記縦仕切板は、互いに隣り合う一対の前記横仕切板間の中央位置に、上下方向の一端が当該縦仕切板の一方端縁側で開放され他端が閉塞される凹状の第３の切欠を備え、前記横仕切板は、互いに隣り合う一対の前記縦仕切板間の中央位置に、上下方向の一端が当該横仕切板の一方端縁側で開放され他端が閉塞される凹状の第４の切欠を備えることを特徴とする。
【００１１】
これによれば、両仕切部材の互いに係合させる切欠を変更することで仕切区画の形状を容易に変更することができる。即ち、例えば、一方の仕切部材の第３の切欠と他方の仕切部材の第４の切欠とを互いに係合させると共に、一方の仕切部材の第４の切欠と他方の仕切部材の第３の切欠とを互いに係合させることにより、仕切区画を小さな区画に変更することができる。
【図面の簡単な説明】
【００１２】
【図１】本発明の第１の実施形態の仕切体の平面図。
【図２】第１の実施形態における一方の仕切部材の斜視図。
【図３】（ａ）は図２の仕切部材の一側面図、（ｂ）は図２の仕切部材の他側面図。
【図４】（ａ）は仕切体の高さ寸法が最も低くなる組み付け状態を示す側面図、（ｂ）は仕切体の他の組み付け状態を示す側面図。
【図５】第１の実施形態の仕切体における区画数の変更状態を示す平面図。
【図６】本発明の第２の実施形態の仕切体の一方の仕切部材の斜視図。
【図７】図６の仕切部材の側面図。
【図８】第２の実施形態の仕切体における区画形状の変更状態を示す平面図。
【発明を実施するための形態】
【００１３】
本発明の第１の実施形態の仕切体１は、図１に示すように、互いに組み付け自在に形成された２つの仕切部材（第１仕切部材２、第２仕切部材３）によって構成されている。第１仕切部材２と第２仕切部材３とは同一の形状であり、互いに組み付けられて、複数の矩形状の区画部４を形成する。
【００１４】
第１仕切部材２は、図２に示すように、合成樹脂の複数の縦仕切板５と複数の横仕切板６とを互いに係合させて分離自在に組立てられ、或いは、合成樹脂の射出成形により複数の縦仕切板５と複数の横仕切板６とからなる格子状に形成される。なお、以下の説明においては、横仕切板６の長手方向に沿った区画部４の配列方向を行とし、縦仕切板５の長手方向に沿った区画部４の配列方向を列とする。
【００１５】
縦仕切板５は、図２及び図３（ａ）に示すように、横仕切板６との交差部において横仕切板６の側面との間に空隙を形成する一対の第１の切欠７，８を備えている。両第１の切欠７，８は、その一端が縦仕切板５の上部端縁で開放され他端が閉塞されている。そして、両第１の切欠７，８のうち、横仕切板６の一側面側（図中右側）に形成されている一方の第１の切欠７は、他方の第１の切欠８よりも深く下方まで延びて形成されている。
【００１６】
横仕切板６は、図２及び図３（ｂ）に示すように、縦仕切板５との交差部において縦仕切板５の側面との間に空隙を形成する一対の第２の切欠９，１０を備えている。両第２の切欠９，１０は、その一端が横仕切板６の上部端縁で開放され他端が閉塞されている。そして、両第２の切欠９，１０のうち、縦仕切板５の一側面側（図中左側）に形成されている一方の第２の切欠９は、他方の第２の切欠１０よりも深く下方まで延びて形成されている。
【００１７】
そして、最も深い切欠である第１の切欠７と第２の切欠９とは同一形状であるが、最も浅い切欠は第２の切欠１０であり、中間の深さの切欠は第１の切欠８となっている。
【００１８】
第２仕切部材３は、第１仕切部材２と同一の構成であり、上下方向を反転させ、或いは、反転させずに第１仕切部材２の上方に重ねるようにして組み付けられる。
【００１９】
即ち、第２仕切部材３を上下方向を反転させて交差部の切欠きが下方で開放される姿勢で第１仕切部材２の上方に重ね、最も深い切欠同士を係合させれば、図４（ａ）に示すように、高さ寸法が最も低い仕切体１を形成することができる。
【００２０】
また、図４（ａ）に示す状態から第２仕切部材３を上方に引抜き、図４（ｂ）に示すように、第１仕切部材２と第２仕切部材３とで最も浅い切欠同士を係合させると、高さ寸法の高い仕切体１を得ることができる。
【００２１】
このように、第２仕切部材３を上下方向を反転させて交差部の切欠きが下方で開放される姿勢としたとき、第１仕切部材２に対する第２仕切部材３の位置を水平方向にずらしたり水平方向に回転させたりして、３つの深さの切欠の係合関係を変更することで、仕切体１の高さを合計６通りの高さ寸法に変更することができる。
【００２２】
更にまた、図示しないが、第２仕切部材３を上下方向を反転させずに、交差部の切欠きが上方で開放される姿勢で第１仕切部材２の上方に重ねることもでき、第１仕切部材２に対する第２仕切部材３の位置を水平方向にずらしたり水平方向に回転させたりして、第２仕切部材３の縦仕切板５又は横仕切板６の下縁と第１仕切部材２の３つの深さの切欠との係合関係を変更することで、仕切体１の高さを合計３通りの高さ寸法に変更することができる。
【００２３】
また、第２仕切部材３を上下方向を反転させ、第１仕切部材２に対する第２仕切部材３の位置を、区画部４の１列乃至複数列分、或いは、区画部４の１行乃至複数行分だけ水平方向にずらして、最も深い切欠同士を係合させることにより、図５に示すように、区画部４の行数又は列数を増加させることができる。
【００２４】
なお、上記第１の実施形態においては、第１の切欠７，８及び第２の切欠９，１０が３種の異なる深さ（異なる閉塞端の位置）に形成されているが、全て同一の深さ（同一の閉塞端の位置）に形成されていてもよい。
【００２５】
次に、本発明の第２の実施形態について図６乃至図８を参照して説明する。第２の実施形態の仕切体１１（図８参照）は、第１仕切部材１２と、これと同一形状の第２仕切部材１９とを互いに上下に組み付けてなるものである。
【００２６】
第１仕切部材１２は、図６に示すように、複数の縦仕切板１３と該縦仕切板１３と同一形状であって各縦仕切板１３に交差する複数の横仕切板１４とを備えている。また、縦仕切板１３には、横仕切板１４との交差部において横仕切板１４の側面との間に空隙を形成する一対の第１の切欠１５，１６が形成されている。更に、縦仕切板１３における横仕切板１４間の中央位置には、第１の切欠１５，１６と同じ方向に開放され且つ同じ深さの第３の切欠１７が形成されている。
【００２７】
また、横仕切板１４にも、縦仕切板１３との交差部において縦仕切板１３の側面との間に空隙を形成する一対の第２の切欠が形成されており、横仕切板１４における縦仕切板１３間の中央位置には、第２の切欠と同じ方向に開放され且つ同じ深さの第４の切欠１８が形成されている。第２の実施形態の仕切体１１においては、第１の切欠１５，１６、第２の切欠、第３の切欠１７、及び第４の切欠１８が全て同一の深さ（同一の閉塞端の位置）に形成されている。
【００２８】
このように構成された第２の実施形態の仕切体１１は、図７に示すように第１仕切部材１２と第２仕切部材１９とを上下に重ねて互いに組み付けることで、図８（ａ）に示すように複数の矩形状の区画部２０を形成する。また、前記の第３の切欠１７及び第４の切欠１８を備えることによって、第１仕切部材１２に対して第２仕切部材１９を横方向に水平にずらして、第１仕切部材１２の第３の切欠１７と第２仕切部材１９の一方の第２の切欠とを係合させることで、図８（ｂ）に示すように、区画部２０の形状を小さな形状に変更することができる。更に、第１仕切部材１２に対して第２仕切部材１９を横方向と縦方向とに水平にずらして、第１仕切部材１２の第３の切欠１７と第２仕切部材１９の第４の切欠とを係合させることで、図８（ｃ）に示すように、区画部２０の形状を一層小さな形状に変更することができる。
【符号の説明】
【００２９】
１，１１…仕切体、２，１２…第１仕切部材（仕切部材）、３，１９…第２仕切部材（仕切部材）、５，１３…縦仕切板、６，１４…横仕切板、７，８，１５，１６…第１の切欠、９，１０…第２の切欠、１７…第３の切欠、１８…第４の切欠。
【図１】
0005205479.tif 000002
【図２】
0005205479.tif 000003
【図３】
0005205479.tif 000004
【図４】
0005205479.tif 000005
【図５】
0005205479.tif 000006
【図６】
0005205479.tif 000007
【図７】
0005205479.tif 000008
【図８】
0005205479.tif 000009